(57)【要約】【課題】エーミング調整前に出荷位置にロックされるのを防止し、エーミング調整を行うと出荷位置にロックが可能となり、ロック状態にするとそのロック状態を保持する。【解決手段】ヘッドランプ本体に備えたエーミングガイド６と、エーミング操作部１に嵌合装着され工具用開口１２がエーミングガイド６に対して調整位置Ａと出荷位置Ｂとに回転できるロックキャップ７とを有するヘッドランプエーミング構造であって、工具用開口１２の外側に位置するようロックキャップ７に備えられ、エーミングガイド６に嵌合することによってロックキャップ７を調整位置Ａに拘束し且つ工具の挿入時にエーミングガイド６から退去してロックキャップ７を出荷位置Ｂに回転可能にするロックタブ１４と、出荷位置Ｂに回転したロックキャップ７が調整位置Ａに戻らないよう拘束するロック手段１５，１６とを備える。【選択図】　　　　図１
2004058693.tif 000002
【特許請求の範囲】
【請求項１】
生産者側で調整可能であり使用者側では調整不能となるようにエーミング操作部に不可触機構が備えられ、該不可触機構が、ヘッドランプ本体に備えられたエーミングガイドと、前記エーミング操作部に嵌合装着され工具用開口がエーミングガイドに対して調整位置と出荷位置とに回転できるロックキャップとから構成されたヘッドランプエーミング構造であって、前記工具用開口の外側に位置するようロックキャップに備えられ、前記エーミングガイドに嵌合することによってロックキャップを調整位置に拘束し且つ工具の挿入時にエーミングガイドから退去してロックキャップを出荷位置に回転可能にするロックタブと、出荷位置に回転したロックキャップが調整位置に戻らないよう拘束するロック手段と、を備えたことを特徴とするヘッドランプエーミング構造。
【請求項２】
前記ロック手段が、ロックキャップを出荷位置に回転するときにエーミングガイドに嵌合して調整位置に戻れないようにロックキャップに備えた嵌合爪であることを特徴とする請求項１記載のヘッドランプエーミング構造。
【請求項３】
前記ロック手段が、ヘッドランプ本体に備えたロック凸部と、ロックキャップを出荷位置に回転したときにロック凸部を通過して調整位置に戻れないようにロックキャップに備えたロック係止部と、からなることを特徴とする請求項１記載のヘッドランプエーミング構造。
【発明の詳細な説明】
【０００１】
【発明の属する技術分野】
本発明は自動車のヘッドランプエーミング構造に関するものである。更に詳細には、生産工程で行われたヘッドランプの照準が市場で変更されることのないように、エーミング操作部に不可触機構が設けられたヘッドランプエーミング構造に関するものである。
【０００２】
【従来の技術】
自動車用のヘッドランプには、例えば反射鏡の向きを上下、左右に調整可能としたエーミング構造が備えられている。このエーミング構造は、例えばアジャスティングスクリュに備えたエーミング操作部をドライバ等の工具を用いて回転させることによって、車両に搭載された状態のヘッドランプの照準が調整できるようにしている。
【０００３】
一方、前記操作部が露出していると使用者側で容易に調整できてしまうため、正しい知識を有しない使用者が不適切に照準を調整する可能性がある。このために仕向地によっては規格により前記操作部の操作を使用者側では不可能にした不可触機構を設けることが要求される場合がある。
【０００４】
前記ヘッドランプを車両に取り付けるのみで規定の照準が得られれば、ヘッドランプの取付作業は高効率である。しかし、一般には自動車側にもヘッドランプ側にも完成時に幾分かの製造誤差が存在するために、各々の自動車にヘッドランプを取り付けたときに、車両に対する左右のエーミング調整が要求される場合がある。このため、特にキャブ建付け等の車両バラツキが少ない車両（モノコック車）では、この車両バラツキを見込んでヘッドランプのエーミング調整を予測し、ランプメーカ側で調整を行ってロックした後、車両に取り付けるようにして生産性を高めることが行われている。
【０００５】
しかしながら、このような方法でも、車両バラツキが大きいために、予め調整を行ったヘッドランプでは誤差をカバーできない場合がある。
【０００６】
従って、このような問題から、通常ではヘッドランプを車両に取り付けた後で各車両に合わせてエーミング調整を行い規定の照準に合わせた後、その後の調整ができないように不可触機構を備えてロックすることが行われている。
【０００７】
前記不可触機構としては、例えば生産者側でのエーミング調整が終了した後に前記操作部を覆うカバーをヘッドランプのハウジングに取付ネジにて固定し、これにより操作部を操作できなくしている。
【０００８】
【発明が解決しようとする課題】
しかしながら、前記ヘッドランプのハウジングと車体とは接近していてその間には隙間がほとんど存在しないために、前記操作部を覆うカバーを配置し且つ取付ネジでハウジングに固定するための作業スペースはほとんど無いのが実情である。このためにカバーの取付作業が非常に大変であり作業能率が悪いという問題がある。
【０００９】
本発明は、上記課題を解決するもので、不可触機構を簡単に取り付けることができ、且つエーミング調整前に出荷位置にロックされるのを防止することができ、エーミング調整を行うと出荷位置にロックが可能となり、ロック状態にするとそのロック状態が保持されるようにしたヘッドランプエーミング構造を提供することを目的とする。
【００１０】
【課題を解決するための手段】
請求項１記載の発明は、生産者側で調整可能であり使用者側では調整不能となるようにエーミング操作部に不可触機構が備えられ、該不可触機構が、ヘッドランプ本体に備えられたエーミングガイドと、前記エーミング操作部に嵌合装着され工具用開口がエーミングガイドに対して調整位置と出荷位置とに回転できるロックキャップとから構成されたヘッドランプエーミング構造であって、前記工具用開口の外側に位置するようロックキャップに備えられ、前記エーミングガイドに嵌合することによってロックキャップを調整位置に拘束し且つ工具の挿入時にエーミングガイドから退去してロックキャップを出荷位置に回転可能にするロックタブと、出荷位置に回転したロックキャップが調整位置に戻らないよう拘束するロック手段と、を備えたことを特徴とするヘッドランプエーミング構造、に係るものである。
【００１１】
請求項２記載の発明は、前記ロック手段が、ロックキャップを出荷位置に回転するときにエーミングガイドに嵌合して調整位置に戻れないようにロックキャップに備えた嵌合爪であることを特徴とする請求項１記載のヘッドランプエーミング構造、に係るものである。
【００１２】
請求項３記載の発明は、前記ロック手段が、ヘッドランプ本体に備えたロック凸部と、ロックキャップを出荷位置に回転したときにロック凸部を通過して調整位置に戻れないようにロックキャップに備えたロック係止部と、からなることを特徴とする請求項１記載のヘッドランプエーミング構造、に係るものである。
【００１３】
上記手段によれば、次のように作用する。
【００１４】
ロックキャップに備えたロックタブがエーミングガイドに嵌合するようにロックキャップを操作部に押込んで装着する。すると、ロックキャップは回転が阻止された状態で調整位置に拘束されるので、エーミング調整前のロックキャップが出荷位置に回転されてロックされるという誤操作の問題が防止される。
【００１５】
更に、エーミングガイドに工具を挿入してエーミング調整を行うと、工具により前記ロックタブが曲げられたり或いは脱落することによってエーミングガイドから退去される。このため、ロックキャップは回転が可能になり、よってロックキャップを出荷位置に回転させることができるようになる。このとき、出荷位置に回転したロックキャップが調整位置に戻らないように回転を拘束するロック手段を備えているので、エーミングガイドからずれた位置の工具用開口に対してはエーミング調整を行うことはできず、よって誤操作を防止することができる。
【００１６】
更に、ロック手段によるロックを解除しようとした場合には、ロック手段の嵌合爪やロック係止部が破損することになるので、この破損が車両機能の不具合ではなく人的破損によるものと判断することができる。
【００１７】
【発明の実施の形態】
以下、本発明を実施する形態例を図面を参照しつつ詳細に説明する。図１〜図４において、１はヘッドランプのエーミング操作部であり、該操作部１は、ヘッドランプ本体２に設けられるアジャスティングスクリュ３に一体に固定されている。そして、操作部１にドライバ等の工具４（図５、図６）を係合させて操作部１を回転させることにより、アジャスティングスクリュ３を介してヘッドランプのエーミング調整が行われるようになっている。
【００１８】
上記操作部１には生産者側で調整可能であり使用者側では調整不能な不可触機構５を備える。該不可触機構５は、ヘッドランプ本体２に備えられ前記工具４を挿入してエーミング調整を行う際の案内を行うためのエーミングガイド６と、前記操作部１を覆いエーミングガイド６に対し調整位置Ａと出荷位置Ｂとに回転できるロックキャップ７とから構成されている。図１中、８はロックキャップ７を調整位置Ａと出荷位置Ｂとに回転させる際の摘まみ部である。
【００１９】
前記ロックキャップ７は、操作部１に図３の矢印Ｘ方向から押込んで嵌合させることにより操作部１を覆うようにした形状を有し、且つ上記嵌合時に操作部１の裏側に係止して操作部１から外れないようにした複数のストッパ９を備えている。図１中、１０はロックキャップ７の上面に前記ストッパ９が成形できるよう、又、見えるように形成してある孔である。又、ロックキャップ７の内面には操作部１の外周面に対して遊びのない状態で嵌合させるための複数のリブ１１が形成されている。
【００２０】
前記ロックキャップ７の周面には、前記エーミングガイド６に一致できるようにした工具用開口１２が形成されている。図１のロックキャップ７は、左側ヘッドランプ用の操作部と、右側ヘッドランプ用の操作部の両方に適用できるようにした共用形のロックキャップ７の場合を示しており、このため、図示した左側ヘッドランプ用の工具用開口１２の他に、エーミングガイド６’に一致できるようにした右側ヘッドランプ用の工具用開口１２’が、前記摘まみ部８を挟んで対称な位置に形成されている。前記工具用開口１２，１２’は円形の開口であっても又Ｕ字状の切欠きであってもよい。
【００２１】
前記ロックキャップ７に備えた工具用開口１２，１２’の外側には、薄肉部１３を介してロックタブ１４，１４’がロックキャップ７と一体に形成されている。このロックタブ１４は、ロックキャップ７を操作部１に嵌合する際にエーミングガイド６に嵌合できる大きさを有している。前記ロックタブ１４がエーミングガイド６に嵌合するとロックキャップ７の回転が阻止されて調整位置Ａに拘束されるようになっている。
【００２２】
又、エーミングガイド６に工具４を挿入して操作部１のエーミング調整を行う際には前記ロックタブ１４が邪魔になるが、工具４を挿入するとロックタブ１４は図５のように薄肉部１３を中心に曲げられたり、或いは薄肉部１３から切り離されて脱落することによってエーミングガイド６から退去され、これによって工具４により操作部１を操作できるようになっている。
【００２３】
又、上記したようにロックタブ１４がエーミングガイド６から退去すると、ロックタブ１４によるロックキャップ７とエーミングガイド６との拘束が解除されるので、摘まみ部８を把持してロックキャップ７を出荷位置Ｂに回転できるようになる。
【００２４】
更に、上記構成において、ロックキャップ７を調整位置Ａから出荷位置Ｂに回転させた際にロックキャップ７が調整位置Ａに戻ることがないようにロックするためのロック手段を設けている。
【００２５】
第１のロック手段１５は、ロックキャップ７における工具用開口１２に近い位置の外周面に、ロックキャップ７を調整位置Ａから出荷位置Ｂに回転した際に前記エーミングガイド６に嵌合するようにした嵌合爪１５ａを設けている。この嵌合爪１５ａは、ロックキャップ７が撓むことによってエーミングガイド６に嵌合する。図１中、１５ａ’は前記工具用開口１２’に近い位置のロックキャップ７の外周面に設けた右側ヘッドランプ用の嵌合爪である。
【００２６】
第２のロック手段１６は、ヘッドランプ本体２に備えたピン等のロック凸部１６ａと、ロックキャップ７を調整位置Ａから出荷位置Ｂに回転したときにロック凸部１６ａを通過して調整位置Ａには戻れない形状を有してロックキャップ７に備えたロック係止部１６ｂとから構成されている。図中１６ａ’は、右側ヘッドランプ用のロック凸部、１６ｂ’は右側ヘッドランプ用のロック係止部である。尚、上記ロック手段１５，１６はその一方のみを備えても又両方を備えてもよい。
【００２７】
又、前記ロックキャップ７の外周にはブラケット１７を突設してキャップ側マーキング１８を設けており、更に、前記ロックキャップ７を調整位置Ａから出荷位置Ｂに回転した際に前記キャップ側マーキング１８と一致するヘッドランプ本体２上の位置に本体側マーキング１９を設けている。これにより、キャップ側マーキング１８と本体側マーキング１９とが一致していることによって、エーミング調整が終了してロックされた状態のヘッドランプであることが判別できるようにしている。このとき、ロックキャップ７が調整位置Ａにあるときの位置を示すロック前マーキング２０をヘッドランプ本体２上に設けるようにしてもよい。
【００２８】
更に、前記エーミングガイド６には、ロックキャップを調整位置Ａから出荷位置Ｂに回転した際における工具用開口１２，１２’を遮蔽するためのリブ２１，２１’が一体に設けられている。このリブ２１は出荷位置Ｂの工具用開口１２，１２’を遮蔽する作用を有する他、エーミングガイド６，６’を補強する機能を有し、適宜な大きさに設定が可能である。図示のように三角状にすれば剛性が高くなるとともに遮蔽と補強の効果を高めることができる。
【００２９】
又、前記リブ２１，２１’に代えて、図８に示すように、ロックキャップ７の外周面に沿うように延びて工具用開口１２，１２’を遮蔽する円弧状リブ２２，２２’を設けてもよい。
【００３０】
以下に上記形態例の作用を説明する。以下では左側ヘッドランプ用の操作部１及びエーミングガイド６における不可触機構５の場合について説明するが、右側ヘッドランプ用の場合も同様に作用することができる。
【００３１】
先ず、ロックキャップ７を操作部１に装着する操作について説明する。ロックキャップ７を手で把持しロックタブ１４がエーミングガイド６に嵌合する位置になるようにして図３の矢印方向Ｘから操作部１に被せるように押込むと、ロックキャップ７は操作部１に嵌合する。このとき、ロックキャップ７の裏側に備えられたストッパ９が撓んで操作部１の裏面に係止することにより、ロックキャップ７は操作部１に外れないように取り付けられる。更に、ロックキャップ７の内面に備えた複数のリブ１１が操作部１の外周面に当接することにより、ロックキャップ７は遊びのない状態で操作部１に取り付けられる。
【００３２】
前記ロックタブ１４は工具用開口１２を目隠しする作用を有しており、更にロックタブ１４がエーミングガイド６に嵌合していることによって、ロックキャップ７は回転が阻止された状態で調整位置Ａに拘束される。ロックキャップ７が調整位置Ａにあるときは未だエーミング調整が行われていない状態であり、これはキャップ側マーキング１８が本体側マーキング１９と一致していないことからも確認できる。前記したように、ロックタブ１４がエーミングガイド６に嵌合してロックキャップ７の回転を拘束しているので、ロックキャップ７がエーミング調整前に回転されて出荷位置Ｂにロックされてしまうという誤操作が防止できる。
【００３３】
次に、前記エーミングガイド６に工具４を挿入することによりエーミング調整を行う作業を説明する。エーミングガイド６に工具４を挿入すると、ロックタブ１４が図５のように薄肉部１３を中心に曲げられたり、或いは薄肉部１３から切り離されて脱落することによってエーミングガイド６から退去される。従って、更に工具４を挿入してその先端を操作部１に係合させた状態で工具４を回転させると、ヘッドランプのエーミング調整ができる。
【００３４】
次に、ロックキャップ７を調整位置Ａから出荷位置Ｂに回転させてロック状態にする操作を説明する。前記したように、エーミングガイド６に工具４を挿入してエーミング調整すると、ロックタブ１４がエーミングガイド６から退去されているのでロックキャップ７は容易に手で回転することができるので、キャップ側マーキング１８が本体側マーキング１９に一致するまで図７の如くロックキャップ７を回転させる。
【００３５】
このロックキャップ７の回転により、第１のロック手段１５である嵌合爪１５ａはロックキャップ７が撓むことによってエーミングガイド６に嵌合し、これにより、調整位置Ａから出荷位置Ｂに回転したロックキャップ７は調整位置Ａには戻れないようにロックされる。
【００３６】
又、上記と同時に、第２のロック手段１６であるヘッドランプ本体２に備えたピン等のロック凸部１６ａをロック係止部１６ｂが乗り越え、ロック凸部１６ａを乗り越たロック係止部１６ｂはもとに戻れない形状を有しているので、調整位置Ａから出荷位置Ｂに回転されたロックキャップ７は調整位置Ａには戻ることがないようにロックされる。そして、キャップ側マーキング１８が本体側マーキング１９に一致していることによって、エーミング調整が行われてロックされたロックキャップ７であることが確認できる。上記ロック手段１５，１６によるロックを解除しようとした場合には、嵌合爪１５ａ及びロック係止部１６ｂが破損することになるので、この破損が車両機能の不具合ではなく人的破損によるものと判断することができる。更に、ロック後のロック係止部１６ｂをロック凸部１６ａに対して鋭角に設定すればより解除時の破損が顕著となる。
【００３７】
更に、ロックキャップ７を回転させて出荷位置Ｂにロックした状態では工具用開口１２がエーミングガイド６の外部に出た位置になるが、エーミングガイド６に設けた図６のリブ２１が工具用開口１２を遮蔽して工具用開口１２を見えない状態にすることができる。このときリブ２１はエーミングガイド６を補強する機能も有することができる。又、図８に示すように、ロックキャップ７の外周面に沿うようにエーミングガイド６に設けた円弧状リブ２２においても工具用開口１２を遮蔽することができる。
【００３８】
更に、前記ロックキャップ７は既製の操作部１に対して汎用性を有しており、更に、工具用開口１２，１２’と、嵌合爪１５ａ，１５ａ’と、ロック凸部１６ａ，１６ａ’と、ロック係止部１６ｂ，１６ｂ’を備えて、左側ヘッドランプ用の操作部と右側ヘッドランプ用の操作部の両方に適用できるようにすると、ロックキャップ７を共通部品として部品点数を削減することができる。
【００３９】
尚、本発明は上記形態例にのみ限定されるものではなく、本発明の要旨を逸脱しない範囲内において種々変更を加え得ることは勿論である。
【００４０】
【発明の効果】
本発明は、以上のように構成されているため、次のような効果を奏する。
【００４１】
ロックキャップに備えたロックタブがエーミングガイドに嵌合するようにロックキャップを操作部に押込んで装着すると、ロックキャップは回転が阻止された状態で調整位置に拘束されるので、エーミング調整前のロックキャップが出荷位置に回転されてロックされるという誤操作の問題を防止できる。
【００４２】
更に、エーミングガイドに工具を挿入してエーミング調整を行うと、工具により前記ロックタブが曲げられたり或いは脱落することによってエーミングガイドから退去されので、ロックキャップは回転できるようになり、よってロックキャップを出荷位置に回転させることができるようになる。このとき、出荷位置に回転したロックキャップが調整位置に戻らないように回転を拘束するロック手段を備えているので、エーミングガイドからずれた位置の工具用開口に対してはエーミング調整を行うことはできず、よって誤操作を防止することができる。
【００４３】
更に、ロック手段によるロックを解除しようとした場合には、ロック手段の嵌合爪やロック係止部が破損することになるので、この破損が車両機能の不具合ではなく人的破損によるものと判断することができる。
【図面の簡単な説明】
【図１】本発明のヘッドランプエーミング構造の形態の一例を示す正面図である。
【図２】図１のＩＩ−ＩＩ方向断面図である。
【図３】図１のＩＩＩ−ＩＩＩ方向断面図である。
【図４】図２のＩＶ−ＩＶ方向断面図である。
【図５】図２において、工具を挿入して操作部を回転させる状態を示す断面図である。
【図６】図４において、工具を挿入して操作部を回転させる状態を示す断面図である。
【図７】図４のロックキャップを調整位置Ａから出荷位置Ｂに回転させた状態を示す断面図である。
【図８】エーミングガイドに円弧状リブを備えた例を示す断面図である。
【符号の説明】
１　　エーミング操作部（操作部）
２　　ヘッドランプ本体
４　　工具
５　　不可触機構
６，６’　　　　エーミングガイド
７　　ロックキャップ
１２，１２’　　工具用開口
１４，１４’　　ロックタブ
１５　　ロック手段
１５ａ，１５ａ’　　　　　　嵌合爪
１６　　ロック手段
１６ａ，１６ａ’　　　　　　ロック凸部
１６ｂ，１６ｂ’　　　　　　ロック係止部
Ａ　　　　調整位置
Ｂ　　　　出荷位置
【図１】
2004058693.tif 000003
【図２】
2004058693.tif 000004
【図３】
2004058693.tif 000005
【図４】
2004058693.tif 000006
【図５】
2004058693.tif 000007
【図６】
2004058693.tif 000008
【図７】
2004058693.tif 000009
【図８】
2004058693.tif 000010